(57)【要約】【課題】  屋外側からの不正な行為に対して、屋内側の錠機構部に触れることを阻止し、防犯性を高める。【解決手段】  シリンダ錠１９の軸線方向に直交して係合する係合片４５ｂ，４６ｂを備えるとともに、シリンダ錠１９の外側面に沿う湾曲凹部４５ａ，４６ａを有して、シリンダ錠１９の基端部３９ａに対してフランジ状に取り付けられ、シリンダ錠１９を挟持するように保持する一対の板体４５，４６を具備し、各板体４５，４６は、板面を貫通する固定用穴４５ｃ，４６ｃを備え、錠ケース５側に裏蓋状に配置されて固定用穴４５ｃ，４６ｃにて固定され、シリンダ錠１９を錠ケース５に固定するとともに、シリンダ錠１９の周囲において、錠ケース５内の錠機構部７を覆い隠す。なお、板体４５，４６は、焼入れ鋼よりなる。【選択図】        図１
2005330761.tif 000002
【特許請求の範囲】
【請求項１】
デッドボルト等を進退する錠機構部が内蔵され、該錠機構部を作動させるサムターンを備えた錠ケースが扉の一方の面に突出した状態で設けられるとともに、前記錠機構部に連動連結されるシリンダ錠が前記扉を貫通し該シリンダ錠先端の鍵穴が前記扉の他方の面に表出する面付錠の構造において、
前記シリンダ錠の軸線方向に対して直交方向で係合する係合片を備えるとともに、該シリンダ錠の外側面に沿う湾曲縁部を有して、該シリンダ錠の基端部に対してフランジ状に取り付けられ少なくとも前記シリンダ錠を挟持するように保持する一対の板体であって、
各板体は、板面を貫通する固定用穴を備えており、前記錠ケース側に裏蓋状に配置されて前記固定用穴にて固定され、前記シリンダ錠を前記錠ケースに固定するとともに、前記シリンダ錠の周囲において、前記錠ケース内の少なくとも前記錠機構部の主要部分を覆い隠すことを特徴とする面付錠の構造。
【請求項２】
前記板体は、焼入れ鋼よりなることを特徴とする請求項１記載の面付錠の構造。
【発明の詳細な説明】
【技術分野】
【０００１】
本発明は、扉の施解錠装置としての面付錠の構造、特に防犯性を備えた面付錠の構造に関するものである。
【背景技術】
【０００２】
面付錠は、下記特許文献にあるような構造であり、扉の厚みの内部に機構部分を設けず、扉の一方の面である屋内面に錠機構部が配設されて、扉の他方の面である屋外面にはシリンダ錠の鍵穴のみを表出させる構造となっており、扉の内外面で挟持するような構造となって、扉の隙間から錠の構成部分が露出しないことから、不正行為が行われにくい。
【特許文献１】特開２００２−１６８０１１号公報
【発明の開示】
【発明が解決しようとする課題】
【０００３】
しかしながら、上述した面付錠の構成では、シリンダ錠が扉を貫通して設けられることから、この扉にはシリンダ錠の嵌挿される穴が形成されることとなり、この穴とシリンダ錠の外周面との僅かな隙間にて、外部（屋外側）より不正な行為が行われてしまう不具合があった。特に棒などを挿入されて、屋内側に配設される機構部分の内部を破壊され、不正に解錠されてしまうようなこともある。
【０００４】
そこで本発明は、上記問題点を解消するために、屋外側からの不正な行為に対して、屋内側の錠機構部に触れることを阻止し、防犯性を高めることのできる面付錠の構造を提供することを目的としている。
【課題を解決するための手段】
【０００５】
次に、上記の課題を解決するための手段を、実施の形態に対応する図面を参照して説明する。
この発明の請求項１記載の面付錠の構造は、デッドボルト１１等を進退する錠機構部７が内蔵され、該錠機構部７を作動させるサムターン１７を備えた錠ケース５が扉３の一方の面３ａに突出した状態で設けられるとともに、前記錠機構部７に連動連結されるシリンダ錠１９が前記扉３を貫通し該シリンダ錠１９先端の鍵穴が前記扉３の他方の面３ｂに表出する面付錠１の構造において、
前記シリンダ錠１９の軸線方向に対して直交方向で係合する係合片４５ｂ，４６ｂを備えるとともに、該シリンダ錠１９の外側面に沿う湾曲凹部４５ａ，４６ａを有して、該シリンダ錠１９の基端部３９ａに対してフランジ状に取り付けられ少なくとも前記シリンダ錠１９を挟持するように保持する一対の板体４５，４６であって、
各板体４５，４６は、板面を貫通する固定用穴４５ｃ，４６ｃを備えており、前記錠ケース５側に裏蓋状に配置されて前記固定用穴４５ｃ，４６ｃにて固定され、前記シリンダ錠１９を前記錠ケース５に固定するとともに、前記シリンダ錠１９の周囲において、前記錠ケース５内の少なくとも前記錠機構部７の主要部分を覆い隠すことを特徴とする。
【０００６】
請求項２記載の面付錠の構造は、請求項１記載の面付錠の構造において、前記板体４５，４６は、焼入れ鋼、例えば、浸炭焼入れ鋼よりなることを特徴とする。
【０００７】
このような面付錠の構造によれば、扉３の他方の面、例えば屋外側の面３ｂから、シリンダ錠１９の外周面に沿って棒や針金などを不正に挿入し、扉３の一方の面、例えば屋内面３ａ側にある錠機構部７の内部へ触れようとしても、板体４５，４６が設けられていることから、その挿入は阻止され、破壊などの行為が行われない。特に、この板体４５，４６を焼入れ鋼で構成することで、電動工具などを用いるような不正行為に対しても、容易に錠機構部７内へ触れることができなくなり、防犯性をより向上させることが可能となる。
【発明の効果】
【０００８】
以上説明したように本発明による面付錠の構造では、例えば屋外側の面となる扉の他方の面から、シリンダ錠の外周面に沿って棒などを不正に挿入し、例えば屋内面側となる扉の一方の面にある錠ケース内の錠機構部へ触れようとしても、板体が一方の面に沿って配置されて、錠ケースの裏蓋状になっており、錠機構部を覆い隠すようになって設けられていることから、その挿入は阻止されることとなり、また、破壊などの行為が行われることが回避される。このことから、面付錠の防犯性が高まることとなる。
特に、この板体を焼入れ鋼で構成することで、この焼入れ鋼が難削材料であることから、電動工具などを用いるような不正行為に対しても、容易に錠機構部内へ触れることができなくなり、防犯性をより向上させることが可能となる。
【発明を実施するための最良の形態】
【０００９】
図１は本発明による面付錠の構造の実施の形態を示す一部裁断側断面図、図２は同面付錠の構造の内部を背面より見た一部裁断図、図３は板体とシリンダ錠の概略分解斜視図である。
【００１０】
本実施の形態による面付錠１が取付けられる扉３には、図示しないが、この面付錠１を構成する錠ケース５が固定されるための台座が設けられる。すなわち、扉３の一方の面としての屋内面３ａには、台座がビス等によって螺着され、錠ケース５はこの台座にビスによって螺着される。本実施の形態では錠ケース５は略方形箱状に形成され扉３の屋内側３ａの面に露出し突出して固定される。
なお、本実施の形態の面付錠１は、錠機構部分と、開閉操作部分とが１つのケースに構成されるもので、上半部に錠機構部７が、下半部に開閉操作部９が配設される。
【００１１】
錠ケース５の上半部の内部には、面付錠１の機構である錠機構部７が配設される。錠機構部７は、デッドボルト１１とダルマ１３と出力軸１５とで大略構成される。
図２に示すように、錠ケース５内には、左右方向にスライド自在となるデッドボルト１１が設けられ、その先端１１ａは、錠ケース５の一側面から扉３の木口方向に沿って進退自在となる。デッドボルト１１の基端近傍には、ダルマ１３が軸支されている。ダルマ１３には、外側縁の一部に片状の係合部１４が延設されており、デッドボルト１１の基端１１ｂに連結されている。そして、ダルマ１３が所定角度回転することで、係合部１４が揺動し、これに連動してデッドボルト１１がスライドすることとなる。ダルマ１３は、錠ケース５内の出力軸１５に連結されている。出力軸１５の錠ケース５の外面側には、錠ケース５より突出するサムターン１７が連結され（図１，図５参照）、また、出力軸１５の錠ケース５の背面側すなわち扉３の屋内面３ａに対向する側には後述するシリンダ錠１９が連結される。
【００１２】
錠ケース５下半部の開閉操作部９は、操作軸２１とラッチカム２２とプランジャ２３とラッチボルト２４と操作部材で大略構成される。操作軸２１は、錠ケース５を貫通し、かつ扉３を貫通して、両端に操作部材としてのノブ或いはハンドルなど（図示せず）が設けられる。操作軸２１には、錠ケース５内にてラッチカム２２が相対回転不能に設けられる。ラッチカム２２には周縁に突片２２ａと揺動片２２ｂとを有し、突片２２ａはプランジャ２３に当接しており、揺動片２２ｂはラッチボルト２４に係止している。プランジャ２３は、圧縮コイルバネ２５が連結されており、先端が当接する突片２２ａによってラッチカム２２を所定の回転方向、図２において時計回り方向に付勢している。ラッチボルト２４は錠ケース５内を左右方向にスライド自在とされるとともに、ラッチバネ２６を内蔵し、ラッチボルト先端２４ａを常時進出している方向へ付勢されている。ラッチボルト２４の基端２４ｂはラッチカム２２の揺動片２２ｂが係止され、すなわち、ラッチカム２２の回転によりラッチボルト先端２４ａが錠ケース５内に後退できるようになっている。
【００１３】
錠機構部５の出力軸１５に連結されるサムターン１７は、略半円板状に形成される摘み部２８を備えており、錠ケース５の上部略中央に回転自在に配設される。
なお、本実施の形態の面付錠１を構成するサムターン１７には、図１，５に示すように、一対のボタン２９，２９が表裏面に配設されている。これらボタン２９，２９は、押下することにより、図示しない機構によって、サムターン１７自体の回転を行えるような構成となっており、すなわち、サムターン１７の摘み部２８に対して、これらボタン２９，２９を正しく押下した状態として回転操作を行わなければ、このサムターン１７によるデッドボルト１１の進退操作が行えないようになっている。
【００１４】
また、出力軸１５には、連結コア３１が連動連結されている。この連結コア３１は、錠ケース５内に配設される支持板３３に回動自在に配設されており、後端に略板状の連結片３２が突設されている。そして、この連結片３２は支持板３３を貫通して延出し、後述するシリンダ錠１９に連結される。
なお、支持板３３は、錠ケース５内において、上述した錠機構部７を構成する各部１１，１３，１５を支持する板部材であり、錠ケース５内に固定され、すなわち錠ケース５の外装表面板５ａとの間に各部が配置されるようになっている。
【００１５】
シリンダ錠１９は、本実施の形態では、錠本体３７と、ハウジング３９とで大略構成されている。
錠本体３７は、正規な合鍵（図示せず）を挿入することで回転操作を行うことが可能な構造であり、先端に合鍵の挿入される鍵穴が形成され、また基端には、合鍵による回転操作にて連動して回転するテールピース３８が配設されている。ハウジング３９は、錠本体３７を内蔵する略円筒状に形成されており、先端側に錠本体３７を配置して、先端面より錠本体３７の鍵穴が表出するようになっている。ハウジング３９の基端には、錠本体３７のテールピース３８と錠機構部７を構成する連結コア３１とを連結するための連結部４１が、ハウジング３９内で回転自在となって配設されている。すなわち、合鍵による回転操作で、テールピース３８が回転すると、連結部４１を介して連結コア３１を回転させ、これにより出力軸１５へ回転操作力を伝達させて、デッドボルト１１の進退が行われるようになっている。
【００１６】
また、図３に示すように、ハウジング３９の基端３９ａには、軸線方向に直交する方向の対向位置となって対となる係合穴４３，４３が穿設されている。各係合穴４３，４３には、板体４５，４６がそれぞれ取り付けられる。なお、本実施の形態のハウジング３９には、外装ケース４０が被覆されており、図３に示すように、薄肉なパイプ状部材で構成され、基端側にて周縁にフランジ部４０ａが形成され、後述する板体４５，４６に当接するようになっている。
【００１７】
板体４５，４６は、略平滑な板部材よりなり、本実施の形態では、焼入れ鋼、好ましくは浸炭焼入れ処理を施した十分な強度及び難削性を有した鋼材を素材とし、上下一対で構成され、上部板体４５と下部板体４６とで構成されている。
上部板体４５は、図３及び図４に示すように、やや左右に長い略矩形状に形成されるとともに、下縁部に湾曲凹部４５ａが形成される。この湾曲凹部４５ａは略半円状で、シリンダ錠１９のハウジング３９外径に対応し、この外径と略同等の内径で形成されている。湾曲凹部４５ａの略中央に位置して、舌片状の係合片４５ｂが下向きに突設されている。また、この上部板体４５には、湾曲凹部４５ａの上方に位置して一対の貫通した固定用穴４５ｃが穿設されている。なお、本実施の形態では、図３に示すように、この上部板体４５の一方の側縁部側及び上縁に、錠ケース５内の他の部品等との干渉を避けるための切欠４５ｄ，４５ｅが形成される。
【００１８】
下部板体４６は、図３及び図４に示すように、ほぼ方形状に形成されるとともに、上縁に湾曲凹部４６ａが形成される。この下部板体４６の湾曲凹部４６ａについても、上記上部板体４５と同様にハウジング３９外径に対応し、この外径と略同等の内径で形成されている。また、湾曲凹部４６ａの略中央に位置して、舌片状の係合片４６ｂが上向きに突設されている。また、この下部板体４６には、湾曲凹部４６ａの下方に位置して一対の貫通した固定用穴４６ｃが穿設されている。なお、本実施の形態では、図３に示すように、この下部板体４６の一方の側縁部側及び略中央部分に、錠ケース５内の他の部品等との干渉を避けるための切欠４６ｄ，４６ｅが形成される。
【００１９】
そして、これら上下板体４５，４６は、それぞれの係合片４５ｂ，４６ｂが、シリンダ錠１９のハウジング３９に形成された係合穴４３，４３に挿入され、各湾曲凹部４５ａ，４６ａがハウジング３９の外周面に当接状態となって、錠ケース５側に固定されることとなる。
すなわち、図３に示すように、上部板体４５の係合片４５ｂをシリンダ錠１９のハウジング３９に形成される一方の係合穴４３に挿入し、下部板体４６の係合片４６ｂをハウジング３９の他方の係合穴４３に挿入して、図４に示すように各湾曲凹部４５ａ，４６ａをハウジング３９外周面に略密着するように当接状態として、各板体４５，４６の固定用穴４５ｃ，４６ｃにてネジ、ボルト等の固定手段４９にて錠ケース５側に固定する。図１に示すように、シリンダ錠１９のハウジング３９の基端部３９ａが、各板体４５，４６にて上下から挟持されるように保持され、別言すると、各板体４５，４６がハウジング３９（シリンダ錠１９）の上下に延出しフランジ状となって、錠ケース５に固定されることとなる。固定された各板体４５，４６は、図４に示すように、錠ケース５に対して裏蓋状に配設されて、錠機構部７を構成する各部である、デッドボルト１１、ダルマ１３等の主要な部分を覆い隠すこととなる。
【００２０】
なお、図示はしないが、デッドボルト１１及びラッチボルト２４の各先端部分が係止される係止具が、扉枠側に設けられる。
【００２１】
このような構成としたことから、扉３の屋外側の面３ｂから、シリンダ錠１９の外周面に沿って棒や針金などを不正に挿入し、扉３の屋内面３ａ側にある錠機構部７の内部へ触れようとしても、上下の板体４５，４６がシリンダ錠１９の外周に密着してフランジ状に設けられていることから、シリンダ錠１９に沿った挿入は阻止され、また、錠ケース５の裏蓋状となって錠機構部７を覆い隠すように配置されており、破壊などの行為を防ぐことができる。
特に、これら板体４５，４６を焼入れ鋼で構成することで、その素材が難削素材であることで電動工具などを用いるような不正行為に対しても、容易に錠機構部７内へ触れることができなくなり、防犯性をより向上させることが可能となる。
【００２２】
また、シリンダ錠１９を引き抜くような行為が行われたとしても、このシリンダ錠１９と板体４５，４６とが、板体４５，４６に形成された係合片４５ｂ，４６ｂにて連結状態であり、容易に互いが離脱するようなことがない。
【００２３】
なお、上述した実施の形態では、面付錠１として、上半部に錠機構部７を備え、下半部に開閉操作部９を備えた構成として説明したが、上半部の錠機構部７の部分のみで構成されることとしてもよく、例えば、扉３に既に開閉操作部及び施解錠装置が備えられ、このような扉３にさらに錠を追加構成する所謂ワンドア・ツーロックを構成させるための後付け錠として本発明の面付錠の構造を用いることとしても良い。この場合、デッドボルト１１の係止される係止具が扉枠側に設けられることとなる。
【００２４】
また、上述した実施の形態では、板体４５，４６を、上下２分割構造で構成する例として説明したが、左右２分割構造としてもよく、或いは、さらに複数の板体で分割されるような構成や、板体同士が重なるなどの多重構成などとしても良い。
【図面の簡単な説明】
【００２５】
【図１】本発明による面付錠の構造の実施の形態を示す一部裁断側断面図である。
【図２】同実施の形態の面付錠の構造の内部を背面より見た一部裁断図である。
【図３】同実施の形態の面付錠の構造を構成する板体とシリンダ錠の概略分解斜視図である。
【図４】同実施の形態の面付錠の構造の一部裁断背面図である。
【図５】同実施の形態の面付錠の正面図である。
【符号の説明】
【００２６】
１…面付錠
３…扉
３ａ…一方の面（屋内面）
３ｂ…他方の面（屋外面）
５…錠ケース
７…錠機構部
１１…デッドボルト
１７…サムターン
１９…シリンダ錠
３９ａ…基端
４５…板体（上部板体）
４５ａ，４６ａ…湾曲凹部
４５ｂ，４６ｂ…係合片
４６…板体（下部板体）
【図１】
2005330761.tif 000003
【図２】
2005330761.tif 000004
【図３】
2005330761.tif 000005
【図４】
2005330761.tif 000006
【図５】
2005330761.tif 000007